(57)【要約】      （修正有）【課題】ユーザーによって支払われる報酬により、投稿楽曲の広告を行うことで、投稿楽曲の認知度を高めることできる投稿楽曲広告システムを提供する。【解決手段】投稿楽曲広告システムは、投稿ユーザーにより投稿された投稿楽曲を記憶する記憶手段と、投稿楽曲を再生可能な再生手段と、選択した投稿楽曲に対して協賛ユーザーから報酬を受け付ける報酬受付手段と、投稿楽曲に対して受け付けた報酬に基づいて、投稿楽曲を広告する広告手段と、を備える。表示部１１に於いて、楽曲確認画面に表示されている投稿楽曲を投稿した投稿ユーザーに報酬を付与時に、酬額選択子画面１０９が表示され、ユーザーは報酬額選択子画面１０９を使用し、投稿ユーザーに報酬を支払う。【選択図】図８
2017151573.tif 000002
【特許請求の範囲】
【請求項１】
投稿ユーザーにより投稿された投稿楽曲を記憶する記憶手段と、
前記投稿楽曲を再生可能な再生手段と、
選択した前記投稿楽曲に対して協賛ユーザーから報酬を受け付ける報酬受付手段と、
前記投稿楽曲に対して受け付けた前記報酬に基づいて、当該投稿楽曲を広告する広告手段と、を備えたことを特徴とする
投稿楽曲広告システム。
【請求項２】
前記投稿楽曲に対して受け付けた報酬を集計し、前記投稿楽曲毎に集計報酬を算出する集計手段を備えたことを特徴とする
請求項１に記載の投稿楽曲広告システム。
【請求項３】
前記広告手段による前記投稿楽曲の広告は、当該投稿楽曲に対して受け付けた前記報酬、もしくは、当該投稿楽曲の前記集計報酬に応じて、広告期間、広告時間長、広告時間帯、広告回数、広告対象範囲の内、少なくとも１つを変更することを特徴とする
請求項１または請求項２に記載の投稿楽曲広告システム。
【請求項４】
前記広告手段による前記投稿楽曲の広告は、前記投稿楽曲を選曲可能な選曲手段で実行されることを特徴とする
請求項１から請求項３の何れか１項に記載の投稿楽曲広告システム。
【請求項５】
前記広告手段による前記投稿楽曲の広告時、もしくは、前記投稿楽曲の再生時において、当該投稿楽曲に報酬を付与した前記協賛ユーザーのユーザー名を表示する協賛表示手段を備えたことを特徴とする
請求項１から請求項４の何れか１項に記載の投稿楽曲広告システム。
【請求項６】
前記協賛表示手段は、当該投稿楽曲に対する前記協賛ユーザーの報酬額に応じて、前記ユーザー名の表示形態を異ならせることを特徴とする
請求項５に記載の投稿楽曲広告システム。
【請求項７】
前記投稿楽曲に対して受け付けた前記報酬に基づいて、当該投稿楽曲を投稿した投稿ユーザーに支払う対価を算出する対価算出手段を備えたことを特徴とする
請求項１から請求項６の何れか１項に投稿楽曲広告システム。
【請求項８】
投稿ユーザーにより投稿された投稿楽曲を記憶するサーバー装置と通信可能な端末装置であって、
再生手段で再生する前記投稿楽曲を指定可能な選曲手段と、
選択した前記投稿楽曲に対して協賛ユーザーから報酬を受け付ける報酬受付手段と、
前記投稿楽曲に対して受け付けた前記報酬に基づいて、当該投稿楽曲を広告する広告手段と、を備えたことを特徴とする
投稿楽曲広告端末。
【請求項９】
投稿ユーザーにより投稿された投稿楽曲を記憶する記憶手段と、
前記投稿楽曲を再生可能な再生手段に前記投稿楽曲を配信する配信手段と、
報酬受付手段において、前記投稿楽曲に対して協賛ユーザーから受け付けた報酬に基づいて、当該投稿楽曲を広告する広告手段と、を備えたことを特徴とする
サーバー装置。
【発明の詳細な説明】
【技術分野】
【０００１】
本発明は、投稿ユーザーにより投稿された投稿楽曲の広告を行うことのできる投稿楽曲広告システム、並びに、投稿楽曲広告システムで使用される投稿楽曲広告端末、サーバー装置に関する。
【背景技術】
【０００２】
従来、家庭などでの音楽の鑑賞は、ＣＤなどのメディアを再生して楽しむことが一般的である。近年、インターネットによる通信インフラが整備され、各種情報を容易に取得できる中、音楽の鑑賞方法もＣＤのみならず、インターネットを介した音楽配信を利用して楽しむことが可能となっている。このような音楽配信では、レコード会社に所属するアーティストによる楽曲のみならず、アマチュアアーティストなどが自己の楽曲を配信サイトにアップロード（投稿）して、広くユーザーに楽しんでもらうことも行われている。
【０００３】
音楽の楽しみ方の１つのカラオケがある。例えば、特許文献１に記載されているように、楽曲候補を製品化（カラオケ化）する際、ユーザーからの投票を募り、蓄積された得票点数に基づいて高得点の楽曲候補を製品化する投票方法について開示されている。この投票方法では、ユーザーは、無償投票者、有償投票者に分類され、有償投票者はプレミアム持ち点を有している。得票点数が所定以上となった場合に、所定以上となった楽曲が、カラオケの製品化される楽曲として決定される。
【先行技術文献】
【特許文献】
【０００４】
【特許文献１】特開２００２−２４５２２５号公報
【発明の概要】
【発明が解決しようとする課題】
【０００５】
特許文献１では、ＣＤ等で提供されているプロの歌手による楽曲を対象とするものであり、アマチュアアーティストが自作した楽曲を対象とするものではない。現在、アマチュアアーティストによる自作楽曲を投稿し公開するサービスが行われている。このようなサービスは、アマチュアアーティストの中から優秀なアーティストを発掘する場として有効と考えられる。しかしながら無名のアマチュアーティストの場合、たとえ優れた楽曲を投稿していたとしても、それが多くのユーザーに知られるには時間がかかることが考えられる。また、多数の自作曲が投稿される中で、無名ゆえに、あまり再生されないまま投稿による公開される期間が終了してしまうことも考えられる。
【０００６】
本発明はこのような状況を鑑みたものであって、アマチュアアーティスト等によって投稿された投稿楽曲を、それを聴取するユーザーが支援することで、他のユーザーに広めることのできる投稿楽曲広告システムを提供することを目的としている。
【課題を解決するための手段】
【０００７】
そのため、本発明に係る投稿楽曲広告システムは、以下の構成を採用する。
投稿ユーザーにより投稿された投稿楽曲を記憶する記憶手段と、
前記投稿楽曲を再生可能な再生手段と、
選択した前記投稿楽曲に対して協賛ユーザーから報酬を受け付ける報酬受付手段と、
前記投稿楽曲に対して受け付けた前記報酬に基づいて、当該投稿楽曲を広告する広告手段と、を備えたことを特徴とする
投稿楽曲広告システム。
【０００８】
さらに本発明に係る投稿楽曲広告システムは、
前記投稿楽曲に対して受け付けた報酬を集計し、前記投稿楽曲毎に集計報酬を算出する集計手段を備えたことを特徴とする。
【０００９】
さらに本発明に係る投稿楽曲広告システムにおいて、
前記広告手段による前記投稿楽曲の広告は、当該投稿楽曲に対して受け付けた前記報酬、もしくは、当該投稿楽曲の前記集計報酬に応じて、広告期間、広告時間長、広告時間帯、広告回数、広告対象範囲の内、少なくとも１つを変更することを特徴とする。
【００１０】
さらに本発明に係る投稿楽曲広告システムにおいて、
前記広告手段による前記投稿楽曲の広告は、前記投稿楽曲を選曲可能な選曲手段で実行されることを特徴とする。
【００１１】
さらに本発明に係る投稿楽曲広告システムは、
前記広告手段による前記投稿楽曲の広告時、もしくは、前記投稿楽曲の再生時において、当該投稿楽曲に報酬を付与した前記協賛ユーザーのユーザー名を表示する協賛表示手段を備えたことを特徴とする
【００１２】
さらに本発明に係る投稿楽曲広告システムにおいて、
前記協賛表示手段は、当該投稿楽曲に対する前記協賛ユーザーの報酬額に応じて、前記ユーザー名の表示形態を異ならせることを特徴とする。
【００１３】
さらに本発明に係る投稿楽曲広告システムは、
前記投稿楽曲に対して受け付けた前記報酬に基づいて、当該投稿楽曲を投稿した投稿ユーザーに支払う対価を算出する対価算出手段を備えたことを特徴とする。
【００１４】
また本発明に係る投稿楽曲広告端末は、
投稿ユーザーにより投稿された投稿楽曲を記憶するサーバー装置と通信可能な端末装置であって、
再生手段で再生する前記投稿楽曲を指定可能な選曲手段と、
選択した前記投稿楽曲に対して協賛ユーザーから報酬を受け付ける報酬受付手段と、
前記投稿楽曲に対して受け付けた前記報酬に基づいて、当該投稿楽曲を広告する広告手段と、を備えたことを特徴とする。
【００１５】
また本発明に係るサーバー装置は、
投稿ユーザーにより投稿された投稿楽曲を記憶する記憶手段と、
前記投稿楽曲を再生可能な再生手段に前記投稿楽曲を配信する配信手段と、
報酬受付手段において、前記投稿楽曲に対して協賛ユーザーから受け付けた報酬に基づいて、当該投稿楽曲を広告する広告手段と、を備えたことを特徴とする。
【発明の効果】
【００１６】
本発明に係る投稿楽曲広告システム、投稿楽曲広告端末、サーバー装置によれば、投稿楽曲を支援する協賛ユーザーから募った報酬を集計し、集計された集計報酬によって支援対象となる投稿楽曲の広告を行うことで、名の知られていないアマチュアアーティストであっても、協賛ユーザーからの支援によって他のユーザーに広く認知させることが可能となる。
【００１７】
さらに本発明に係る投稿楽曲広告システム、投稿楽曲広告端末、サーバー装置は、集計報酬に応じて広告期間、広告時間長、広告時間帯、広告回数、広告対象範囲の内、少なくとも１つを変更することで、集計報酬に見合った広告を行うことが可能となる。
【００１８】
さらに本発明に係る投稿楽曲広告システム、投稿楽曲広告端末、サーバー装置は、投稿楽曲を選曲可能な選曲手段で実行されることとしている。選曲手段で広告を実行することで、ユーザーは広告対象となった投稿楽曲をすぐに選曲することが可能となり、効果の高い広告を行うことが可能となる。
【００１９】
さらに本発明に係る投稿楽曲広告システム、投稿楽曲広告端末、サーバー装置において、報酬を付与した協賛ユーザーのユーザー名を表示することで、投稿楽曲に対して誰が報酬を付与したかを確認できるとともに、協賛ユーザーは自分が付与した報酬の証を残すことで満足度を向上させることが可能となる。さらに、協賛ユーザーの報酬額に応じて、ユーザー名の表示形態を異ならせることで、各協賛ユーザーの報酬の状況を確認しやすくするとともに、協賛ユーザーの満足度の更なる向上を図ることも可能となる。
【００２０】
さらに本発明に係る投稿楽曲広告システム、投稿楽曲広告端末、サーバー装置において、集計報酬に基づいて、当該楽曲を投稿した投稿ユーザーに支払う対価を算出することとしている。このような構成により、投稿ユーザーに対して報酬を還元することが可能となり、投稿に対するモチベーション向上を図ることが可能となる。
【図面の簡単な説明】
【００２１】
【図１】楽曲配信システムの構成を示す図
【図２】サーバー装置の構成を示す図
【図３】カラオケシステムの構成を示す図
【図４】投稿楽曲情報の構成を示す図
【図５】アップローダーのアップロード画面を示す図
【図６】リモコン装置で表示されるトップ画面を示す図
【図７】楽曲確認画面を示す図
【図８】報酬額選択子画面を示す図
【図９】報酬決済時のカラオケシステムとサーバー装置の処理を示すフロー図
【図１０】ポイントに関する各種情報のデータ構成を示す図
【図１１】楽曲再生処理を示すフロー図
【図１２】エンドクレジット形成処理を示すフロー図
【図１３】エンドクレジットの表示の様子を示す図
【図１４】投稿楽曲閲覧サイトでの楽曲選択画面を示す図
【図１５】投稿楽曲閲覧サイトでの再生画面を示す図
【発明を実施するための形態】
【００２２】
図１は、本発明の実施形態に係る投稿楽曲広告システムの構成を示す図である。本実施形態の投稿楽曲広告システムは、投稿楽曲情報の公開、配信管理を行うサーバー装置３と、カラオケボックスやスナックなどカラオケ店舗に配置されたカラオケ装置２ａ〜２ｃ…（以下、符号「２」を使用する）を有して構成されている。サーバー装置３は、これらカラオケ装置２、並びに、ユーザー端末（パーソナルコンピューター６ａ、６ｂ、スマートフォンやタブレット端末等の各種携帯情報端末７）とインターネットなどのネットワーク網を介して通信することが可能である。
【００２３】
図２には、本発明の実施形態に係るサーバー装置３の構成が示されている。サーバー装置３は、いわゆるコンピューター装置であって、ＣＰＵやＲＯＭ、ＲＡＭなどで構成され、各種プログラムを実行可能な制御手段３６と、ハードディスクなどの記憶手段３８、前述したユーザー端末やカラオケ装置２と通信を行う通信手段３７を備えて構成されている。通信手段３７は、ルータ４を介してネットワーク網に接続され、各種ユーザー端末やカラオケ装置２と通信可能となっている。ユーザー端末中、携帯情報端末７は、携帯電話通信網用、あるいは、無線ＬＡＮ用の無線通信装置５を介して無線でネットワーク網にアクセスすることが可能である。
【００２４】
本実施形態の楽曲配信システム中のサーバー装置３は、このような構成により、ユーザー端末（第１通信端末）から投稿された投稿楽曲情報を受信して記憶手段３８に記憶させる受信処理、記憶した投稿楽曲情報をユーザー端末（第２通信端末）に対して公開可能とする公開処理、並びに、投稿された投稿楽曲情報をカラオケ店舗側に設置されたカラオケ装置に配信する配信処理を実行可能としている。なお、ユーザー端末中、第１通信端末と第２通信端末とは、その構成上に違いは無く、受信処理の対象となる投稿楽曲情報を作成し、サーバー装置３に投稿するユーザー端末を第１通信端末、公開処理の対象となる、投稿された投稿楽曲情報を投稿楽曲サイトで閲覧するユーザー端末を第２通信端末と、便宜上、名称を付与している。
【００２５】
特に、本実施形態では、投稿楽曲情報をユーザー端末に公開するとともに、カラオケ装置２に配信することとしている。このような形態により、ユーザー端末で広く公開されたことでユーザーに認知された投稿楽曲は、音響設備の整ったカラオケ店舗において歌唱を楽しむことも可能となる。このように本実施形態の楽曲配信システムを使用することにより、一般ユーザーにより作成された楽曲を広く披露する場を提供するとともに、カラオケ店舗利用の拡大を図ることが可能となる。
【００２６】
図３は、投稿楽曲情報の配信対象となるカラオケシステムの構成を示す図である。本実施形態におけるカラオケシステムは、カラオケ装置２（別称「コマンダ」ともいう）とリモコン装置１を有して構成されている。カラオケ装置２は、ＬＡＮ１００で構築されたネットワークを介して通信接続されている。また、カラオケ装置２を遠隔操作するためのリモコン装置１は、ＬＡＮ１００に接続されたアクセスポイント１１０を介して同ネットワークに通信接続されている。カラオケ装置２とリモコン装置１ａ、１ｂはネットワークを介して互いに通信可能となっている。なお、図３は、１台のカラオケ装置２に対して、リモコン装置１ａとリモコン装置１ｂ、２台のリモコン装置１が使用された例が示されている。これらリモコン装置１ａ、１ｂの構成は同一であるため、リモコン装置１として説明を行う。
【００２７】
カラオケボックスなどの店舗に設置されるカラオケ装置２は、楽曲を再生するための再生手段として音響制御部２５を備えている。また、カラオケ装置２は、ユーザーからの各種入力を受け付けるスイッチなどで構成されるカラオケ装置側入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００２８】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果付与などを実行する映像制御部３１を備えて構成される。
【００２９】
さらに、このカラオケ装置２では、外部に接続されたモニタ４１以外に、タッチパネルモニタ３３に対して各種情報を表示することを可能としている。タッチパネルモニタ３３は、映像制御部３１から入力された映像情報を表示する表示部３５と、タッチ入力された位置を操作処理部２２に出力するタッチパネル３４が重畳されて構成されている。
【００３０】
本実施形態では、このタッチパネルモニタ３３に対して、外部に接続されたタッチパネルモニタ３３と同様、再生されている楽曲の歌詞表示を行うことが可能となっている。その際、モニタ４１と同一画面の歌詞表示を行うこととしてもよいが、タッチパネルモニタ３３は、モニタ４１と比較して小さい画面であるため、歌詞文字を大きく表示する、あるいは、背景映像を使用しないなど、モニタ４１とは異なる形態で歌詞表示を行うこととしてもよい。
【００３１】
さらに、本実施形態のタッチパネルモニタ３３は、リモコン装置１の操作手段と同様の操作手段として機能することも可能となっている。ユーザーはタッチパネルモニタ３３から楽曲を選択して、直接カラオケ装置２に予約をさせるなど、リモコン装置１と同等の操作手段機能を利用することが可能である。前述した歌詞表示機能と、この操作手段機能との切り替えは、カラオケ装置２のフロントパネルに配置された操作部２１に対し所定の操作を行うことで切り替えられる。また、カラオケ装置２における楽曲再生時には、歌詞表示機能に自動で切り替えることとしてもよい。なお、再生中であってタッチパネルモニタ３３に歌詞表示されている場合においても、操作部２１の操作にて操作手段機能に切り替えることも可能である。
【００３２】
さらに、カラオケ装置２は、各構成を統括して制御するためのカラオケ装置側制御手段として、ＣＰＵにて構成される制御部３０、各種プログラムを実行するにあたって必要となる情報を一時記憶するためのメモリ２７を備えて構成される。
【００３３】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００３４】
演奏処理は、楽曲データに含まれる演奏情報を音響制御部２５にて演奏させる処理である。音響制御部２５にて演奏された楽曲は、マイクロホン４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３５】
一方、リモコン装置１は、予約情報などカラオケ装置２に対して各種指示を送信するとともに、カラオケ装置２あるいはインターネット上に接続されたサーバー装置３から各種情報を受信する。リモコン装置１は、リモコン側表示手段としての表示部１１と、ユーザーからの各種入力を受け付けるリモコン側入力手段としての操作部１７とを備える。また、リモコン装置１は、アクセスポイント１１０に無線接続し、ネットワークに加入するためのリモコン側通信手段としての無線ＬＡＮ通信部１６を備える。
【００３６】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００３７】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３８】
このようなリモコン装置１の構成により、ユーザーからの各種入力を操作部１７にて受付けるとともに、映像情報を表示部１１に表示してユーザーに対して各種情報を提供するとともに、カラオケ装置２に対して楽曲予約などの各種指示を送信することが可能とされている。
【００３９】
図４は、本発明の実施形態に係る投稿楽曲情報のデータ構成を示す図である。投稿楽曲情報は、図１で説明したようにユーザーによって作成、サーバー装置３に対して送信された情報であって、業者側で設定した規格に沿って各種機器で作成され、第１通信端末としてのパーソナルコンピューター６からサーバー装置３に送信される情報である。本実施形態の投稿楽曲情報は、投稿楽曲情報の各種属性を示す属性情報、再生の際、使用される複数の楽曲要素情報を含んで構成されている。楽曲要素情報は、演奏情報と、楽曲関連情報に大別され、楽曲関連情報には、ボーカル情報、コーラス情報、歌詞情報、背景映像情報が含まれている。
【００４０】
各楽曲関連情報は、情報毎のファイル構成を採用してもよく、あるいは、歌詞情報と背景映像情報を１ファイル中に収める、あるいは、背景映像情報とボーカル情報を１ファイル中に収めるなど、各種形態を採用することが可能である。また、投稿楽曲情報中、各楽曲関連情報は、全てが必須である必要は無く、ユーザーによって適宜構成され、サーバー装置３に投稿（アップロード）することが可能である。また、演奏情報を含まない場合（アカペラ、ボイスパーカッション）や、歌詞情報を含まない場合でも投稿することは可能である。
【００４１】
属性情報として曲番号などの投稿楽曲ＩＤ、投稿者名、歌手名、楽曲名、ジャンル、投稿日などを含んで構成されている。これら属性情報は、投稿楽曲を検索、再生などのために指定するための情報として用いられる。投稿楽曲ＩＤは、業者側で多数の投稿楽曲情報を管理するため、サーバー装置３への投稿時、サーバー装置３側で付与される属性情報である。
【００４２】
本実施形態の演奏情報、ボーカル情報、コーラス情報には、ｍｐ３規格などで圧縮された音声圧縮情報が使用されている。このうち、演奏情報には、音声圧縮情報以外に、ＭＩＤＩ規格に即して作成されたＭＩＤＩ情報を採用することも可能である。
【００４３】
歌詞情報（テロップ情報）は、演奏情報の再生に同期してモニタ４１に歌詞を表示させるための情報である。この歌詞情報は、演奏情報の再生に同期して表示されるように構成されている。さらに好ましくは、表示された歌詞が演奏情報の再生に同期して色替えされ、ユーザーに対して歌唱箇所の詳細な指示を行うように構成される。
【００４４】
本実施形態の楽曲配信システムでは、図１で説明したユーザー端末への公開時と、カラオケ装置２への配信時において、投稿楽曲情報中の楽曲要素情報の組み合わせを異ならせており、同じ投稿楽曲情報を使用しつつ、ユーザー端末、カラオケ装置２に適した形態で再生させることが可能となっている。
【００４５】
図４の投稿楽曲情報には、ユーザー端末への公開時（図中、「公開時」）と、カラオケ装置２への配信時（図中、「カラオケ配信時」）において使用する楽曲要素情報の構成例が示されている。丸印が付された楽曲要素情報が、公開時、カラオケ配信時、それぞれの初期状態で再生される楽曲要素情報である。公開時、カラオケ配信時において、演奏情報、コーラス情報といった楽曲の要となる楽曲要素情報は、初期状態での再生対象としている。一方、投稿楽曲を聴いて楽しむことがメインとなるユーザー端末への公開時には、ボーカル情報を初期状態での再生対象とし、歌詞情報を非再生対象としている。そして、投稿楽曲を歌って楽しむことがメインのカラオケ配信時には、ボーカル情報を非再生対象とし、歌詞情報を再生対象としている。
【００４６】
本実施形態では、楽曲要素情報の１つに背景映像情報を含めることが可能となっている。背景映像情報は、公開時、カラオケ配信時の両方において初期状態で再生対象とされているが、背景映像情報は、初期状態で再生対象とする、あるいは、再生対象としない、どちらに設定することも可能である。公開時には再生対象とすることが好ましいが、カラオケ装置２では、各楽曲で共用可能な背景映像情報を有しているため、カラオケ配信時には、この共用可能な背景映像情報に代えることで、個別の背景映像情報を配信することなく、通信容量の削減を図ることも可能である。この場合、オプションとして投稿楽曲情報に含まれる背景映像情報を選択可能とし、当該背景映像情報が選択された場合に、サーバー装置３から当該背景映像情報を配信することとしてもよい。
押し
カラオケ配信時において再生対象となる各楽曲要素情報の配信は、再生対象となる楽曲要素情報のみをサーバー装置３から配信することとしてもよいし、投稿楽曲情報に含まれる楽曲要素情報をサーバー装置３から配信しておき、再生対象として必要な楽曲要素情報をユーザー端末、あるいは、カラオケ装置２側で選択して再生することとしてもよい。例えば、本実施形態では、ユーザー端末への公開時には、ストリーム配信を採用しているが、この場合、再生対象となる楽曲要素情報のみがユーザー端末へ配信されることとなる。一方、本実施形態のカラオケ配信時には、投稿楽曲情報を一端、カラオケ装置２の記憶手段に蓄積し、カラオケ装置２側で再生対象となる楽曲要素情報を選択することとしている。
【００４７】
以上、本実施形態の楽曲配信システムでは、配信先となるユーザー端末、カラオケ装置２に応じて、投稿楽曲情報が含む楽曲要素情報の組み合わせを変更し、ユーザー端末、カラオケ装置２での利用形態に即した投稿楽曲情報の再生形態を実現可能としている。
【００４８】
図５は、投稿楽曲を管理する管理会社が提供する楽曲アップローダー（プログラム）のアップロード画面を示している。楽曲を投稿したいユーザーは本楽曲アップローダーを利用して、パーソナルコンピューター６などの第１通信端末の記憶装置に、ユーザーが作成した投稿楽曲に関する演奏情報、歌声情報、歌詞情報、背景映像情報等を読み込み、サーバー装置３へアップロードすることが可能となる。ここで、読み込んだ各情報の音量や長さは、本楽曲アップローダーで調整可能であり、ユーザーの調整により、各情報の音量バランスや長さが合致した、投稿楽曲情報を作成することが出来る。また、歌声情報の読み込みには、楽曲の主旋律を歌唱するボーカル情報、ハモリ等の副旋律を歌唱するコーラス情報を分けて読み込むことが可能であり、ボーカル情報は、図５の歌声１、歌声２のタブから、コーラス情報は、図５の歌声３のタブから読み込む仕組みとなっている。投稿楽曲閲覧サイト上では、ボーカル情報を試聴することで、投稿楽曲情報がどのような歌なのかを試聴することが出来る。
【００４９】
投稿楽曲情報は、投稿楽曲閲覧サイトで公開されるとともに、カラオケ装置２で利用可能になるが、その際、投稿楽曲情報中のボーカル情報は、ユーザーのカラオケ歌唱を補助するためのガイドボーカルとして機能する。投稿楽曲情報にボーカル情報が含まれている場合、ガイドボーカル情報として、Ｏｎ／Ｏｆｆの切り替えをすることができる。歌唱に自信のあるユーザーは、ガイドボーカル情報をＯｆｆとし、自信の無いユーザーは、ガイドボーカル情報をＯｎとすることで、共に投稿楽曲情報の歌唱を楽しめることとなる。なお、投稿楽曲閲覧サイトでボーカル情報を再生する場合は、通常の音量であるが、カラオケ装置２にてボーカル情報をガイドボーカルとして再生する場合は、ユーザーの歌唱音声を邪魔しない程度に、デフォルトで小音に設定されている。さらに、ボーカル情報は、模範情報として、カラオケの音程等の一致を評価する採点にも利用することも可能である。カラオケ業者が、採点のために模範情報をいちいち作成せずとも、ユーザーのボーカル情報を採点に利用できるため、コスト削減につがなる。
【００５０】
図６には、本実施形態のリモコン装置１に表示されるトップ画面を示した図である。本実施形態のカラオケシステムは、複数のユーザーが同時にログインして使用することが可能である。図６に示すトップ画面の上方には、カラオケシステムにログインしているユーザーに関する情報が表示されている。ログインユーザー欄１０３には、カラオケシステムにログインしているユーザーの分身像１０３ａ〜１０３ｅ（本実施形態では顔部分）が表示される。またログインユーザー欄１０３中、右端に背景がハイライト（白色）で示されるユーザーは、アクティブユーザー１０３ｅ（この例ではＡさん）であって、アクティブユーザー１０３ｅに対するサービス、すなわち、アクティブユーザー１０３ｅのユーザー情報を利用したサービスが実行されている状態となっている。アクティブユーザーの切り替えは、ユーザー切り替えボタン１０１を操作することで行うことが可能である。また、ユーザー登録していないユーザーは、ゲストボタン１０２を操作することで、ゲストユーザーとしてカラオケシステムを使用することが可能である。
【００５１】
このトップ画面では、ユーザーは、検索方式選択ボタン群１０５を選択することで、歌唱する楽曲を、歌手名、曲名等の観点から選曲することが可能である。また、カラオケ業者によるお知らせ、各種広告を表示することが可能である。本実施形態では、投稿楽曲広告欄１０４が設けられている。この投稿楽曲広告欄１０４は、ある投稿楽曲を広告するために設けられた欄であって、投稿者名、楽曲名、投稿楽曲の背景映像（動画、あるいは、静止画）が表示され、選曲を行っているユーザーに対して投稿楽曲をアピールする欄となっている。また、本実施形態では、投稿楽曲の広告は、ユーザーの支援によって行われており、投稿楽曲広告欄１０４の情報には支援したユーザー名が表示されている。この投稿楽曲広告欄１０４が選択された場合には、対応する投稿楽曲の楽曲確認画面に推移させることで、広告されている投稿楽曲の選曲を容易にしてもよい。
【００５２】
投稿楽曲は名の通っていないユーザーによって提供されることが多く、テレビ等、各種メディアでのアピールもあまり行われないため、せっかく投稿されたのに、ユーザーによって選曲されない場合がある。また、業者側の都合上、投稿楽曲に配信期限が設けられている場合には、選曲されないまま配信期間が終了してしまうことも考えられる。本実施形態では、このような投稿楽曲の選曲機会の向上を図ることを目的とし、投稿楽曲を支援したいユーザー（協賛ユーザー）の報酬支払いによる支援により投稿楽曲の広告を行うこととしている。
【００５３】
図７は、投稿楽曲の楽曲確認画面を示した図である。投稿楽曲の選曲は、例えば、図６のトップ画面において、検索方式選択ボタン群１０５内の「投稿楽曲」ボタンを選択することで検索することが可能である。投稿楽曲を検索後、１の投稿楽曲を選択した場合、当該投稿楽曲の詳細をユーザーに確認させるとともに、カラオケ装置２に対して予約を行うことのできる楽曲確認画面が表示される。楽曲確認画面には、投稿楽曲に関する各種県連情報（投稿者名、歌手名、楽曲名、ジャンル名、活動地域、配信期限など）が表示されている。ユーザーは予約ボタン１０８を操作することで、選択されている投稿楽曲をカラオケ装置２に対して予約することが可能である。また本実施形態では、楽曲設定欄１０７が設けられており、投稿楽曲の演奏時における各種設定（キーなど）を変更することが可能である。
【００５４】
さらに本実施形態の楽曲確認画面には、報酬選択ボタン１０６が設けられている。この報酬選択ボタン１０６は、楽曲確認画面に表示されている投稿楽曲を投稿した投稿者（投稿ユーザー）に報酬を付与する場合、選択される操作子であって、報酬選択ボタン１０６が選択された場合、図８に示すように報酬額選択子画面１０９が表示され、ユーザーはこの報酬額選択子画面１０９を使用して、投稿ユーザーに報酬を支払うことが可能となっている。このポイントは、投稿楽曲広告システム内における仮想通貨として使用されるものであり、金額との交換、商品やサービスの購入、あるいは、景品としてユーザーに付与される。図１０（Ａ）は、投稿楽曲広告システムで管理するユーザー情報の一部についてデータ構成を示した図である。ユーザー情報は、ユーザーＩＤ、ユーザー名、所有ポイントを含んで構成されている。報酬額選択子画面１０９内に表示される所有ポイント表示欄１０９ａには、ユーザー情報中の所有ポイントに基づき、ユーザー（この場合、Ａさん）が所有するポイント数が表示される。なお、本実施形態では、カラオケ業者によって管理されているポイントを使用して、報酬を支払うこととしているが、ポイント以外に通貨、あるいは、クレジットカードによる決済等を使用可能としてもよい。
【００５５】
ユーザーはこの所有するポイント数内において、投稿者に報酬を寄付することが可能である。ポイント選択欄１０９ｂ内に表示された所定単位のポイントボタン（１００、５００、１０００）が操作されることで、寄付するポイント数を報酬ポイント表示欄１０９ｃに加算される。ユーザーは、寄付したいポイント数を報酬ポイント表示欄１０９ｃ内に表示させ、決定ボタン１０９ｅを操作することで、投稿ユーザーによって投稿された投稿楽曲に対してポイントの寄付を行う。また、寄付を取りやめたい場合は、戻るボタン１０９ｄを操作することで、報酬額選択子画面１０９を閉じることが可能である。
【００５６】
図９は、報酬決済時、すなわち、図８の報酬額選択子画面１０９において決定ボタン１０９ｅが操作された場合のカラオケシステムとサーバー装置３の処理を示すフロー図である。カラオケシステム内のリモコン装置１を使用してポイント決済が行われた場合（Ｓ１０１：Ｙｅｓ）、カラオケシステム（リモコン装置１、あるいは、カラオケ装置２）は、通信回線を介して報酬関連情報をサーバー装置３に送信する（Ｓ１０２）。図１０（Ｂ）には、報酬関連情報のデータ構成を示した図である。報酬関連情報には、報酬を寄付したユーザーのユーザーＩＤ、報酬の対象となる投稿楽曲を示す投稿楽曲ＩＤ、報酬を付与した日時を示す報酬付与日時、そして、報酬額を示す報酬ポイントが含まれている。
【００５７】
サーバー装置３は報酬関連情報を受信する（Ｓ２０１）と、報酬関連情報に含まれる報酬ポイントを、投稿楽曲を広告するために使用する広告ポイントと、投稿楽曲を投稿した投稿ユーザーに支払う対価としての所有ポイントに分与する（Ｓ２０２）。例えば、報酬ポイント中の５０％を広告ポイント、残る５０％を所有ポイントに分与することが考えられる。サーバー装置３は、分与された広告ポイントに基づき広告を実行するための広告関連情報を形成する。なお、このように報酬ポイントを、投稿ユーザーに対する所有ポイントと、広告を行うための広告ポイントに分与することに代え、報酬ポイントを全額、広告ポイントとすることとしてもよい。あるいは、分与することなく、報酬ポイントを投稿ユーザー所有ポイントと広告ポイントとして兼用することとしてもよい。
【００５８】
図１０（Ｃ）には、広告関連情報のデータ構成が示されている。広告関連情報は、報酬の付与対象となった投稿楽曲の投稿楽曲ＩＤ、報酬を付与したユーザーのユーザーＩＤ、報酬付与日時、報酬ポイントから分与された広告ポイント、広告期限を含んで構成されている。広告期限は、報酬付与日時から所定期間とする、あるいは、報酬付与日時から広告区ポイントに応じた期間とすること等が考えられる。
【００５９】
サーバー装置３は、広告関連情報に基づいて広告処理（Ｓ２０４）を実行する。投稿楽曲の広告は、図６で説明した投稿楽曲広告欄１０４等を使用して行われる。サーバー装置３は、ネットワーク網を介してカラオケシステムに静止画あるいは動画による投稿楽曲の広告を配信する。投稿楽曲の広告を受信したカラオケシステムでは、リモコン装置１あるいはカラオケ装置２を使用して、投稿楽曲の広告を実行する。このように投稿楽曲に協賛するユーザーの支援（報酬の支払い）により、投稿楽曲の広告、そして、投稿者に対する報酬（ポイント付与）を行うことが可能となっている。なお、本実施形態の広告処理（Ｓ２０４）では、広告ポイントの額に応じて、広告を開始してから終了するまでの広告期間（広告期限の設定）を変更している。このように広告ポイント額に応じて、広告期間を変更する以外に、広告を行う際の各種形態を変更することが考えられる。例えば、広告を開始してから終了するまでの広告期間、１回の広告表示における広告時間長、１日の内で広告を行う時間帯を規定した広告時間帯、リモコン装置１あるいはユーザー端末で行う広告回数、あるいは、広告を行う対象地域、対象店舗、対象チェーン店などを規定した広告対象範囲のうち、少なくとも１つを変更することが考えられる。このように広告の各種形態を変更する場合、広告ポイントの額が大きいほど、好条件の広告となるようにすることが好ましい。また、本実施形態では、１回の報酬付与毎に、広告ポイントを作成して広告を行うこととしているが、投稿楽曲毎に広告ポイントを集計した集計広告ポイント（集計報酬）に基づいて広告を行うこととしてもよい。
【００６０】
ところで、このように投稿楽曲に報酬を与えた協賛ユーザーに対しては、見返りを与えることで、投稿楽曲に対する報酬付与はさらに活発化することが考えられる。本実施形態では、サーバー装置３で、投稿楽曲の再生時、あるいは、広告時、協賛したユーザーのユーザー名を、報酬関連情報のユーザーＩＤ（図１０（Ｂ））から、ユーザー情報のユーザーＩＤに対応するユーザー名（図１０（Ａ））を抽出し、リモコン装置１やカラオケ装置2で表示することで、協賛した証を残すこととしている。
【００６１】
図１１は、本実施形態の楽曲再生処理を示すフロー図である。楽曲再生処理は、図７で説明した楽曲確認画面などで楽曲を予約することにより、カラオケ装置２で実行される処理である。カラオケ装置２は、予約テーブルのチェックを行い（Ｓ５０１）、次に再生すべき再生の楽曲があると判定した場合（Ｓ５０２：Ｙｅｓ）、投稿楽曲情報の再生を開始する（Ｓ５０３）。本実施形態では、再生対象となっている投稿楽曲について、楽曲終了前に表示するエンドクレジットを形成するエンドクレジット形成処理（Ｓ５０４）を実行する。エンドクレジット形成処理（Ｓ５０４）では、投稿楽曲に対して報酬を支払ったユーザーのユーザー名を表記したエンドクレジットが形成される。
【００６２】
図１２は、本実施形態のカラオケ装置２で実行されるエンドクレジット形成処理を示すフロー図である。エンドクレジット形成処理（Ｓ６００）では、まず、楽曲再生処理で再生対象となっている投稿楽曲に対応する報酬関連情報（図１０（Ｂ））とそのユーザー名をサーバー装置３から取得する（Ｓ６０１）。そして、期限内の報酬関連情報中、１ユーザー（同じユーザーＩＤ）について報酬ポイントを合計する。本実施形態では、報酬付与日時から一定期間、あるいは、報酬付与日時から報酬ポイントに応じた期間を期限として設け、期限を過ぎた報酬関連情報については、エンドクレジット形成の対象から除外している。なお、このように期限を設けることなく、全ての報酬関連情報をエンドクレジットの形成対象としてもよい。そいて、合計した報酬ポイントにより、報酬を付与したユーザーのユーザー名の大きさを決定し（Ｓ６０４）、エンドクレジットに追加する（Ｓ６０４）。以上の処理（Ｓ６０２〜Ｓ６０４）を、対象となる投稿楽曲に報酬を付与した全てのユーザーについて完了した（Ｓ６０５：Ｙｅｓ）ことを条件として、エンドクレジット形成処理（Ｓ６００）は終了する。
【００６３】
投稿楽曲の再生終了３０秒前になる（Ｓ５０４：Ｙｅｓ）と、エンドクレジット形成処理（Ｓ６００）で形成したエンドクレジットを表示開始する（Ｓ５０５）。図１３は、が曲再生処理時、モニタ４１に表示されたエンドクレジットを示す図である。エンドクレジットは、協賛ユーザー表示欄４１１内に下から上にスクロールする形態で、再生されている投稿楽曲に協賛したユーザーのユーザー名を表示する。本実施形態では、報酬としてのポイントの合計が多いユーザーほど、ユーザー名の大きさを大きくしている。このように投稿楽曲に報酬を付与したユーザーは、楽曲の再生時、自己のユーザー名をエンドクレジットに表示させ、投稿楽曲に対する支援を行ったことをアピールすることが可能となっている。また、合計ポイントによって、ユーザー名の大きさが変更されるため、投稿楽曲に対する寄与度をユーザー名の表示形態で表すことが可能となっている。なお、合計ポイントに基づくユーザー名の表示形態は、このようにユーザー名の大きさを変更すること以外に、合計ポイントに応じて、ユーザー名を表示する順を変更する、あるいは、ユーザー名の色、装飾を変更することなど各種形態を採用することが可能である。
【００６４】
楽曲再生処理では、投稿楽曲の再生が終了する（Ｓ５０６：Ｙｅｓ）と、処理の先頭に戻って、次に予約された楽曲に対する処理を行う。以上、本実施形態では、楽曲再生処理中のエンドクレジットとして、報酬を付与した協賛ユーザーのユーザー名を表示することを、報酬付与に対する見返りとしている。なお、協賛ユーザーのユーザー名は、このように楽曲再生処理時のエンドクレジットとして表示する以外に、投稿楽曲の再生期間における適宜タイミング、あるいは、投稿楽曲の再生期間前あるいは後に表示することとしてもよい。あるいは、楽曲再生時のみならず、例えば、図６で説明した投稿楽曲広告欄１０４などによる広告時に表示することとしてもよい。また、本実施形態では、エンドクレジットをカラオケ装置２で形成しているが、報酬関連情報、ユーザー情報はサーバー装置３で記憶しているため、エンドクレジットは、サーバー装置３側で形成した上で、カラオケ装置２へ送信し、カラオケ装置２は楽曲再生処理（Ｓ５０５）のタイミングで表示することとしてもよい。
【００６５】
また、本実施形態では、カラオケシステムにおいて投稿楽曲に対する報酬の受付、投稿楽曲の広告、そして、報酬を付与した協賛ユーザーのユーザー名の表示を行うこととしているが、これらの処理は、投稿楽曲が公開されるユーザー端末で行うこととしてもよい。図１４には、ユーザー端末において投稿楽曲を公開する投稿楽曲閲覧サイトの画面例が示されている。この投稿楽曲閲覧サイトは、ユーザー端末からサーバー装置３にアクセスすることで、ユーザー端末側で閲覧可能となる。図１４は、パーソナルコンピューター（ＰＣ）での表示の様子を示したものであり、投稿楽曲閲覧サイトを表示しているＰＣ表示ウィンドウ６１内部の様子が示されている。
【００６６】
本実施形態では、事前にユーザー登録しておくことで、登録したユーザー毎のサービスを管理することが可能となっている。図１４に示す投稿楽曲閲覧サイトでは、ログインユーザー名６１ａとして表示されるユーザー（Ａさん）がログインした状態であり、当該ユーザーが所有するポイントが所有ポイント６１ｃとして表示されている。このポイントは、図１０（Ａ）のユーザー情報中に規定される所定ポイントであり、図８で説明したように投稿楽曲に対する報酬などに使用することが可能である。
【００６７】
この投稿楽曲閲覧サイトは、注目アーティスト、最近投稿したアーティストなどの項目別に、投稿楽曲情報を選択することが可能となっている。各投稿楽曲情報には、投稿者名６１ｇと、当該投稿者にて投稿された１の投稿楽曲情報について、その背景映像情報から取得されたサムネイル画像６１ｈが表示されている。ユーザー端末において、投稿者名が選択された場合、投稿者名に対応する投稿楽曲情報を選択可能な画面に遷移する。一方、サムネイル画像６１ｈが選択された場合、当該サムネイル画像６１ｈに対応する投稿楽曲情報を再生可能とする画面に遷移する。
【００６８】
また、この投稿楽曲閲覧サイトは、このように配信を行う業者側で選定した投稿者、投稿楽曲のみならず、全ての投稿楽曲情報を対象として検索を行うことが可能となっている。投稿楽曲閲覧サイト中、検索項目選択欄６１ｄ、検索ワード入力欄６１ｅは、ユーザーが所望する投稿楽曲情報を検索するためのツールである。検索項目選択欄６１ｄは、頭に示される「投稿者名」の他、「楽曲名」、「投稿日」、「ジャンル」、「全ての検索項目」といった各種検索項目を選択することが可能となっている。この検索項目選択欄６１ｄを選択して、検索ワード入力欄６１ｅに所望の検索ワードを入力して検索事項することで、検索対象となった投稿楽曲情報が一覧表示され、ユーザーは所望のものを選択、再生させることが可能である。
【００６９】
また、投稿楽曲情報を選択する図１４の画面には、投稿楽曲広告欄６１ｆが設けられており、図６で説明したリモコン装置１に表示される投稿楽曲広告欄１０４と同様、協賛ユーザーによる報酬に基づく投稿楽曲の広告が表示される。このように投稿楽曲の広告は、即時に投稿楽曲を再生できることから、投稿楽曲を選曲する各種選曲手段（リモコン装置１、あるいは、図１４に示す投稿楽曲情報を選曲する画面）において行うことが効果的である。なお、選曲を行うことが可能であって、投稿楽曲の広告を行うリモコン装置１、あるいは、ユーザー端末は、本発明における投稿楽曲広告端末に相当する。閲覧するユーザーは、この投稿楽曲広告欄６１ｆに表示される投稿楽曲に興味を持った場合、投稿楽曲広告欄１０４を選択指定することで、広告されている投稿楽曲を再生させることが可能である。
【００７０】
図１５は、投稿楽曲閲覧サイトにおいて、ユーザーの操作により１の投稿楽曲情報が選択された際の、再生画面を示した図である。本実施形態において、投稿楽曲情報の再生は、サーバー装置３からのストリーム配信によって行われる。したがって、サーバー装置３は、ストリーム配信を使用した公開処理を実行する。ユーザー端末（第２通信端末）において、図１５の再生画面が表示されることで、再生対象となる投稿楽曲情報が選択され、サーバー装置３に対して、当該投稿楽曲情報の再生要求が送信される。再生要求を受信したサーバー装置３は、対応する投稿楽曲情報を要求したユーザー端末に対してストリーム配信を開始し、要求のあったユーザー端末にて投稿楽曲情報の再生が実行される。
【００７１】
なお、本実施形態では、図４で説明したように、ユーザー端末に対する公開時、投稿楽曲情報を構成する楽曲要素情報中、演奏情報、ボーカル情報、コーラス情報、背景映像情報をストリーム配信の対象としており、ユーザー端末では、投稿楽曲をプロモーションビデオのように視聴して楽しむことが可能となっている。
【００７２】
再生画面中には、投稿楽曲情報に含まれる背景映像表示欄６１ｉ、背景映像表示欄６１ｉの下方に表示された再生ツール６１ｊが表示される。ユーザーは、投稿映像の表示領域下方に表示された再生ツール６１ｊを利用して一時停止、早送り、巻き戻し、音量調整などを行うことが可能である。また、再生ツール６１ｊの下方には、楽曲名、投稿アーティスト、ジャンル、投稿日といった楽曲情報欄６１ｋが表示されている。
【００７３】
また、投稿楽曲情報を再生する画面の下方には、報酬額選択欄６１ｍが設けられている。この報酬額選択欄６１ｍは、図８で説明した報酬額選択子画面１０９と同様、再生対象となっている投稿楽曲に対して、ポイントによる報酬決済を行うことのできる欄である。報酬額選択欄６１ｍには、ユーザーが所有している所有ポイント表示欄６１ｍ−１、付与する報酬ポイントを入力する報酬ポイント入力欄６１ｍ−２、決定ボタン６１ｍ−３が設けられている。ユーザーは、キーボードなどの入力手段を使用して、報酬ポイント入力欄６１ｍ−２に、寄付したいポイントを入力し、決定ボタン６１ｍ−３を操作することで、投稿楽曲に対する報酬決済を行う。報酬決済が行われると、ユーザー端末からサーバー装置３に対し、図９の場合と同様、報酬関連情報が送信され、サーバー装置３は、受信した報酬関連情報に基づいて、Ｓ２０１〜Ｓ２０４の処理を実行する。
【００７４】
以上、本発明の各種実施形態について説明したが、本発明によれば、協賛ユーザーによる投稿楽曲の支援（報酬の付与）により、カラオケシステム、あるいは、ユーザー端末において、当該投稿楽曲を広告することが可能である。また、協賛ユーザーのユーザー名を、楽曲再生時におけるエンドクレジット等で表示することで、協賛ユーザーに対しても支援の証を残すことが可能となる。
【符号の説明】
【００７５】
１（１ａ、１ｂ）：リモコン装置               ４４ａ、４４ｂ：マイクロホン
２（２ａ〜２ｃ）：カラオケ装置               ６１ａ：ログインユーザー名
３：サーバー装置                             ６１ｃ：所有ポイント
４：ルータ                                   ６１ｄ：検索項目選択欄
５：無線通信装置                             ６１ｅ：検索ワード入力欄
６（６ａ、６ｂ）：パーソナルコンピューター   ６１ｆ：投稿楽曲広告欄
７：携帯情報端末                             ６１ｇ：投稿者名
１１：表示部                                 ６１ｈ：サムネイル画像
１２：ビデオＲＡＭ                           ６１ｉ：背景映像表示欄
１３：映像制御部                             ６１ｊ：再生ツール
１４：メモリ                                 ６１ｋ：楽曲情報欄
１５：制御部                                 ６１ｍ：報酬額選択欄
１６：無線ＬＡＮ通信部                       ６１ｍ−１：所有ポイント表示欄
１７：操作部                                 ６１ｍ−２：報酬ポイント入力欄
１８：操作処理部                             ６１ｍ−３：決定ボタン
２１：操作部                                 １０１：ユーザー切り替えボタン
２２：操作処理部                             １０２：ゲストボタン
２４：インターフェイス部                     １０３：ログインユーザー欄
２５：音響制御部                             １０３ａ〜１０３ｅ：分身像
２７：メモリ                                 １０４：投稿楽曲広告欄
２８：ビデオＲＡＭ                           １０５：検索方式選択ボタン群
２９：映像再生部                             １０６：報酬選択ボタン
３０：制御部                                 １０７：楽曲設定欄
３１：映像制御部                             １０８：予約ボタン
３２：ＨＤＤ                                 １０９：報酬額選択子画面
３３：タッチパネルモニタ                     １０９ａ：所有ポイント表示欄
３４：タッチパネル                           １０９ｂ：ポイント選択欄
３５：表示部                                 １０９ｃ：報酬ポイント表示欄
３６：制御手段                               １０９ｄ：ボタン
３７：通信手段                               １０９ｅ：決定ボタン
３８：記憶手段                               １１０：アクセスポイント
４１：モニタ                                 ４１１：協賛ユーザー表示欄
４２：スピーカー
【図１】
2017151573.tif 000003
【図２】
2017151573.tif 000004
【図３】
2017151573.tif 000005
【図４】
2017151573.tif 000006
【図５】
2017151573.tif 000007
【図６】
2017151573.tif 000008
【図７】
2017151573.tif 000009
【図８】
2017151573.tif 000010
【図９】
2017151573.tif 000011
【図１０】
2017151573.tif 000012
【図１１】
2017151573.tif 000013
【図１２】
2017151573.tif 000014
【図１３】
2017151573.tif 000015
【図１４】
2017151573.tif 000016
【図１５】
2017151573.tif 000017